(57)【要約】【課題】車椅子の搭乗者などの身体にハンディキャップを持つ者によっても、開口部を広く取ることができるように、主ドアのみならず補助ドアを容易に開錠、施錠ができる両開きドア装置を提供する。【解決手段】主ドア２と補助ドア３を持つ両開きドア装置において、前記主ドア２は、前記補助ドア３に比して大きなドアで、且つ折れ戸形としている。また前記補助ドア３は一枚戸形とし、その補助ドア３の上下端にラッチ２６を持ち、このラッチ２６を解除するラッチ解除装置２２を補助ドア３の表面に備えていて、補助ドア３の開錠を容易にしている。【選択図】  図１
0003134039.tif 000002
【実用新案登録請求の範囲】
【請求項１】
主ドアと補助ドアを持つ両開きドア装置において、
前記主ドアは前記補助ドアに比して大きなドアとし、前記補助ドアは一枚戸形とし、該補助ドアが不動部材と係止するラッチを上下端に設けると共に、これを解除するラッチ解除装置を該補助ドアの表面に備えたことを特徴とする両開きドア装置。
【請求項２】
主ドアと補助ドアを持つ両開きドア装置において、
前記主ドアは前記補助ドアに比して大きなドアに、且つ折れ戸とし、前記補助ドアは一枚戸形とし、該補助ドアが不動部材と係止するラッチを上下端に設けると共に、これを解除するラッチ解除装置を該補助ドアの表面に備えたことを特徴とする両開きドア装置。
【請求項３】
前記主ドアは、その主ドアに設けられたラッチにより、前記補助ドアに係止すると共に該ラッチを解除するレバーハンドルを該主ドアの表面並びに裏面に取付けたことを特徴とする請求項１又は２記載の両開きドア装置。
【請求項４】
前記主ドアに設けたラッチと前記補助ドアに設けたラッチ受けとがマグネットで構成されていることを特徴とする請求項１，２又は３記載の両開きドア装置。
【請求項５】
前記補助ドアのラッチは、戸の上下端に設けられ、該上端は戸枠に、下端は床面にそれぞれ設けた係止金具に係止されることを特徴とする請求項１又は２記載の両開きドア装置。
【考案の詳細な説明】
【技術分野】
【０００１】
この考案は、老人、身体障害、知的障害者等ハンディキャップを持った人が利用するトイレの両開きドア装置に関する。
【背景技術】
【０００２】
従来、車椅子に搭乗した使用者がトイレを利用する時には、該トイレに近づき、移動距離を短くすることが好ましい。そのために、一枚戸の場合には、該戸の横幅を大きくすることが考えられるが、これではドアの回転半径が大きくなる欠点があり、そのようなドアが開きづらかった。
【０００３】
このため、例えば特許文献１に示すように、引戸を３つに分け、中央戸１１とそれに隣接した一方戸１２及び他方戸１３とにした例が示され、開口部６ｂに３枚の戸１が摺動自在に動かされる支持部３を持ち、これらの戸１を動かす凸状取手４を備えて、開口部６ｂを広く取る例が示されている。
【特許文献１】特開２０００−６４７１６
【０００４】
また、ドアには主ドアと補助ドアとよりなる両開きドア装置も在るが、主ドアはそれに取付られた取手（ハンドル）にて開閉できるようになっていて、補助ドアは、その主ドア側の端部の上下端に、固定用のフランス落しが設けられ、通常は施錠されて開くことができない構造となっている。そのため、この補助ドアを開くためには、上下端の２つのフランス落しを開錠しなければならなかった。
【考案の開示】
【考案が解決しようとする課題】
【０００５】
車椅子の搭乗者にとって見れば、補助ドアのフランス落しを開錠することなどは大変な作業で、身体にハンディキャップを持つ者では、とうていできるものではない。したがって、開口部を大きく開くことが難しかった。
【０００６】
そこで、この考案は、車椅子の搭乗者によっても、開口部を広く取ることができるように、主ドアのみならず補助ドアを容易に開錠、施錠ができる両開きドア装置を提供することにある。
【課題を解決するための手段】
【０００７】
この考案に係る両開きドア装置は、主ドアと補助ドアを持つ両開きドア装置において、前記主ドアは前記補助ドアに比して大きなドアとし、前記補助ドアは一枚戸形とし、該補助ドアが不動部材と係止するラッチを上下端に設けると共に、これを解除するラッチ解除装置を該補助ドアの表面に備えたことにある（請求項１）。
【０００８】
これにより、両開きドアを構成する補助ドアは、ラッチ解除装置に手を掛けて引っ張ることで、ラッチを不動部材より外して簡単に開けることができる。このため、主ドアの開錠と相俟って、開口部を広い開口とすることができ、車椅子をトイレ内に浸入でき、該トイレに近接できるようになると共に、介護者についてもスムーズな動きができるようになる。
【０００９】
前記主ドアは、一枚戸形の代わりに折れ戸形を採用することが好ましく（請求項２）、開時における主ドアの入口側へ突出が防がれると共に開口部の拡大に寄与できる。また、この主ドアは、その主ドアに設けられたラッチにより、前記補助ドアに係止すると共に該ラッチを解除するレバーハンドルを該主ドアの表面並びに裏面に取付られることが好ましい（請求項３）。さらに、この主ドアのラッチと補助ドアに設けられたラッチがマグネットラッチを構成していることが好ましく（請求項４）、施錠時にマグネットの吸着力によりラッチを確実に掛けることができる。
【００１０】
前記補助ドアに設けられるラッチは、戸の上下端に設けられ、該上端は戸枠に、下端は床面にそれぞれ設けた係止金具に係止されることにあり（請求項５）、前記ラッチ解除装置に手を掛けて手前に引っ張ると、ドア側へ引っ張り力が生じて、ラッチを引っ込めて係止金具から外される解除作用が生じるし又ラッチ解除装置から手を離すと、自らの持つバネ力によりラッチが突出して係止金具に係止し、補助ドアが固定される。
【考案の効果】
【００１１】
以上のように、この考案によれば、主ドアのレバーハンドルを持って開けると共に、ラッチ解除装置に手掛けて補助ドアを容易に開けることができるようになり、開口部を広く取ることができ、車椅子のトイレへの近接が達成される。また介護者の動きもスムーズすることができる（請求項１）。
【００１２】
また、主ドアにあっては、折れ戸を使用することで、レバーハンドルを持って動かせば、反便器側に折り畳まれ、開口部を広く取ることができる（請求項２）。あわせて、補助ドアも外側に開かれるため、開口部を大きく取ることができる。また主ドアに設けたラッチと前記補助ドアに設けたラッチ受けとがマグネットとで構成され、マグネットの吸着力にて開時に確実にラッチを掛けることができる（請求項４）。
【考案を実施するための最良の形態】
【００１３】
以下、この考案の実施例を図面により説明する。
【実施例１】
【００１４】
図１，図２において、この考案のトイレに利用した例が示されている。即ち、両開きドア１は、主ドア２と補助ドア３とより成っていて、便器５を備えたトイレ空間６の一面を画成している。この両開きドア１は、下部開放の枠体８を介して建物の構造体９に取付られている。
【００１５】
両開きドア１の前記主ドア２は、折れ戸形で、２つの部分である主部１１ａと従部１１ｂとで構成され、両者は揺動自在に連結具１３に連結されると共に従部１１ｂの上下端にヒンジ１４が設けられ、枠体８並びに床面１５に対して揺動自在となっている。また主ドア２の表面及び裏面で補助ドア側には、レバーハンドル１６が設けられている。
【００１６】
したがって、主ドア２のレバーハンドル１６を持って、下記するラッチ２３を外した後に、左方へ力を加えることで、図２に示す点線のように２つに折り畳まれる。また開かれた主ドア２は、レバーハンドル１６を持って右方へ力を加えることで、図２に示す実線のように閉じることができる。
【００１７】
補助ドア３は、一枚戸形で、反主ドア側の上下端にヒンジ１８を介して枠体８並びに床面１５に対して揺動自在となっている。この補助ドア３には、その表面に大きな握棒２０以外に下記するラッチ２６を解除するラッチ解除装置２２が設けられている。
【００１８】
図３，図４を加えて、前記レバーハンドル１６と前記ラッチ解除装置２２を詳述すると、レバーハンドル１６は揺動自在に主ドア２の主部１１ａの表面及び裏面に取付られ、揺動することで、ラッチ２３が進退動し、補助ドア３の主ドア側に設けられたラッチ受け２４に係止又は解除する構造である。このラッチ２３及びラッチ受け２４はマグネットで構成され、マグネットの吸着力にて閉時に確実にラッチを掛けることができる。
【００１９】
前記補助ドア３は、図３に明らかなように、その主ドア側の上下端に一対のラッチ２６が設けられ、このラッチ２６が枠体８並びに床面１５に固着の係止金具３３と係止している。これにより、補助ドア３は枠体８内に収まっている閉状態となっている。
【００２０】
この上下のラッチ２６は、連結棒２７を介して前記ラッチ解除装置２２と連結されており、ラッチ解除装置２２からの制御力により前記上下のラッチ２６は進退動して枠体８並びに床面１５と係止又は解除される。
【００２１】
このラッチ解除装置２２の内部構造は、図４に明らかなように、例えば引手板２８と、これに連動して動く水平方向の移動板２９とこれを押圧するバネ３０と、前記移動板２９に連結のクランク３１と、このクランク３１に連結の出力板３２とより成っていて、前記バネ３０により押圧されて、図１乃至図３に図示の状態時に図３に示すように、ラッチ２６が枠体８並びに床面１５に固着の係止金具３３と係止している。
【００２２】
そして、引手板２８に手を掛けて引っ張ると、移動板２９がバネ３０に抗して動かされ、クランク３１を介して出力板３２を矢印方向へ動かす。これにより、出力板３２に連結している連結棒２７は補助ドア側内へ引き込まれ、ラッチ２６が係止金具３３との係止が外れ、補助ドア３はヒンジ１８を介して回動し、容易に補助ドア３を開けることができる。
【００２３】
逆に補助ドア３を閉じるには、該補助ドア３を表面側から押せば、ラッチ２６が係止金具３３と係止して、補助ドア３は閉じられる。
【００２４】
以上のように、主ドア２と補助ドア３を開けることで、開口部３４を大きく
取ることができる。しかも、その開閉動作は、身体にハンディキャップを持つ
者であっても容易である利点を持つものである。なおこの両開きドア装置１の
実施例にあっては、トイレのドアに用いたが、これに限らず採用できることは
勿論である。
【図面の簡単な説明】
【００２５】
【図１】この考案の両開きドアが取付られた正面図である。
【図２】同上の平面図である。
【図３】同上の主ドアと補助ドアの閉時における状態で、ラッチ２３とレバーハンドル１６との関係並びにラッチ２６とラッチ解除装置２２との関係を示す説明図である。
【図４】ラッチ解除装置の構成図である。
【符号の説明】
【００２６】
１  両開きドア
２  主ドア
３  補助ドア
６  トイレ空間
８  枠体
１１ａ  主部
１１ｂ  従部
１３  連結具
１５  床面
１６  レバーハンドル
２２  ラッチ解除装置
２３  ラッチ
２４  ラッチ受け
２６  ラッチ
【図１】
0003134039.tif 000003
【図２】
0003134039.tif 000004
【図３】
0003134039.tif 000005
【図４】
0003134039.tif 000006